(57)【要約】  本願の実施例は、データ伝送のための方法、端末デバイス及びネットワークデバイスを開示し、該方法は、端末デバイスがネットワークデバイスによりブロードキャストされたシステム情報ブロックＳＩＢ１を受信することと、前記端末デバイスが前記上りキャリアの周波数ポイント情報に基づいて、前記ＳＩＢ１をブロードキャストするための下り帯域幅パートＢＷＰに関連する上りＢＷＰを決定することとを含み、前記ＳＩＢ１が上りキャリアの周波数ポイント情報を含む。
2021509781.tif 000002
【特許請求の範囲】
【請求項１】
端末デバイスがネットワークデバイスによりブロードキャストされたシステム情報ブロックＳＩＢ１を受信することと、
前記端末デバイスが上りキャリアの周波数ポイント情報に基づいて、前記ＳＩＢ１をブロードキャストするための下り帯域幅パートＢＷＰに関連する上りＢＷＰを決定することとを含み、
前記ＳＩＢ１が前記上りキャリアの周波数ポイント情報を含む
ことを特徴とするデータ伝送のための方法。
【請求項２】
前記端末デバイスが前記上りキャリアの周波数ポイント情報に基づいて、前記ＳＩＢ１をブロードキャストするための下り帯域幅パートＢＷＰに関連する上りＢＷＰを決定することは、
前記端末デバイスが前記上りキャリアの周波数ポイント情報に対応する上りＢＷＰを、前記ＳＩＢ１をブロードキャストするための下りＢＷＰに関連する上りＢＷＰとして決定することを含む
ことを特徴とする請求項１に記載のデータ伝送のための方法。
【請求項３】
前記ネットワークデバイスが、関連する上りＢＷＰ及び下りＢＷＰを同時に活性化又は非活性化する
ことを特徴とする請求項１又は２に記載のデータ伝送のための方法。
【請求項４】
端末デバイスがネットワークデバイスにより送信された無線リソース制御ＲＲＣシグナリングを受信することと、
前記端末デバイスが前記ネットワークデバイスにより送信された対応関係を受信することとを含み、
前記ＲＲＣシグナリングが少なくとも１つの上り帯域幅パートＢＷＰ及び少なくとも１つの下りＢＷＰの情報を含み、前記対応関係が前記少なくとも１つの上りＢＷＰと前記少なくとも１つの下りＢＷＰとの関連関係である
ことを特徴とするデータ伝送のための方法。
【請求項５】
前記端末デバイスがネットワークデバイスにより構成された対応関係を受信することは、
前記端末デバイスが前記ネットワークデバイスにより送信された下り制御情報ＤＣＩを受信することを含み、前記ＤＣＩが前記対応関係を含む
ことを特徴とする請求項４に記載のデータ伝送のための方法。
【請求項６】
前記端末デバイスがネットワークデバイスにより構成された対応関係を受信することは、
前記端末デバイスが前記ネットワークデバイスにより送信されたＲＲＣシグナリングを受信することを含み、前記ＲＲＣシグナリングが前記対応関係を含む
ことを特徴とする請求項４に記載のデータ伝送のための方法。
【請求項７】
前記方法は、さらに、
前記端末デバイスが前記ネットワークデバイスにより送信された上りＢＷＰの共通構成情報を受信することを含む
ことを特徴とする請求項４〜６のいずれか１項に記載のデータ伝送のための方法。
【請求項８】
前記端末デバイスが前記ネットワークデバイスにより送信された上りＢＷＰの共通構成情報を受信することは、
前記端末デバイスが前記ネットワークデバイスによりブロードキャストされたシステム情報ブロックＳＩＢを受信することを含み、前記ＳＩＢが前記上りＢＷＰの共通構成情報を含む
ことを特徴とする請求項７に記載のデータ伝送のための方法。
【請求項９】
前記端末デバイスが前記ネットワークデバイスにより送信された上りＢＷＰの共通構成情報を受信することは、
前記端末デバイスが前記ネットワークデバイスにより送信されたＲＲＣシグナリングを受信することを含み、前記ＲＲＣシグナリングが前記上りＢＷＰの共通構成情報を含む
ことを特徴とする請求項７に記載のデータ伝送のための方法。
【請求項１０】
ネットワークデバイスがシステム情報ブロックＳＩＢ１をブロードキャストすることを含み、
前記ＳＩＢ１が上りキャリアの周波数ポイント情報を含み、前記上りキャリアの周波数ポイント情報が、前記ＳＩＢ１をブロードキャストするための下り帯域幅パートＢＷＰに関連する上りＢＷＰを決定するために用いられる
ことを特徴とするデータ伝送のための方法。
【請求項１１】
前記方法は、さらに、
前記ネットワークデバイスが、関連する上りＢＷＰ及び下りＢＷＰを同時に活性化又は非活性化する
ことを特徴とする請求項１０に記載のデータ伝送のための方法。
【請求項１２】
ネットワークデバイスが端末デバイスに無線リソース制御ＲＲＣシグナリングを送信することと、
前記ネットワークデバイスが前記端末デバイスに対応関係を送信することとを含み、
前記ＲＲＣシグナリングが少なくとも１つの上り帯域幅パートＢＷＰ及び少なくとも１つの下りＢＷＰの情報を含み、前記対応関係が、前記少なくとも１つのＢＷＰと前記少なくとも１つの下りＢＷＰとの関連関係である
ことを特徴とするデータ伝送のための方法。
【請求項１３】
前記ネットワークデバイスが前記端末デバイスに対応関係を送信することは、
前記ネットワークデバイスが前記端末デバイスに下り制御情報ＤＣＩを送信することを含み、前記ＤＣＩが前記対応関係を含む
ことを特徴とする請求項１２に記載のデータ伝送のための方法。
【請求項１４】
前記ネットワークデバイスが前記端末デバイスに対応関係を送信することは、
前記ネットワークデバイスが前記端末デバイスにＲＲＣシグナリングを送信することを含み、前記ＲＲＣシグナリングが前記対応関係を含む
ことを特徴とする請求項１２に記載のデータ伝送のための方法。
【請求項１５】
前記方法は、さらに、
前記ネットワークデバイスが前記端末デバイスに上りＢＷＰの共通構成情報を送信することを含む
ことを特徴とする請求項１２〜１４のいずれか１項に記載のデータ伝送のための方法。
【請求項１６】
前記ネットワークデバイスが前記端末デバイスに上りＢＷＰの共通構成情報を送信することは、
前記ネットワークデバイスがシステム情報ブロックＳＩＢをブロードキャストすることを含み、前記ＳＩＢが前記上りＢＷＰの共通構成情報を含む
ことを特徴とする請求項１５に記載のデータ伝送のための方法。
【請求項１７】
前記ネットワークデバイスが前記端末デバイスに上りＢＷＰの共通構成情報を送信することは、
前記ネットワークデバイスが前記端末デバイスにＲＲＣシグナリングを送信することを含み、前記ＲＲＣシグナリングが前記上りＢＷＰの共通構成情報を含む
ことを特徴とする請求項１５に記載のデータ伝送のための方法。
【請求項１８】
通信モジュールと、決定モジュールとを備える端末デバイスであって、
前記通信モジュールは、ネットワークデバイスによりブロードキャストされたシステム情報ブロックＳＩＢ１を受信するように構成され、前記ＳＩＢ１が上りキャリアの周波数ポイント情報を含み、
前記決定モジュールは、前記上りキャリア的周波数ポイント情報に基づいて、前記ＳＩＢ１をブロードキャストするための下り帯域幅パートＢＷＰに関連する上りＢＷＰを決定するように構成される
ことを特徴とするデータ端末デバイス。
【請求項１９】
前記決定モジュールは、
前記上りキャリアの周波数ポイント情報に対応する上りＢＷＰを、前記ＳＩＢ１をブロードキャストするための下りＢＷＰに関連する上りＢＷＰとして決定するように構成される
ことを特徴とする請求項１８に記載のデータ端末デバイス。
【請求項２０】
前記ネットワークデバイスが、関連する上りＢＷＰ及び下りＢＷＰを同時に活性化又は非活性化する
ことを特徴とする請求項１８又は１９に記載のデータ端末デバイス。
【請求項２１】
通信モジュールを備える端末デバイスであって、
前記通信モジュールは、ネットワークデバイスにより送信された無線リソース制御ＲＲＣシグナリングを受信し、前記ネットワークデバイスにより送信された対応関係を受信するように構成され、
前記ＲＲＣシグナリングが少なくとも１つの上り帯域幅パートＢＷＰ及び少なくとも１つの下りＢＷＰの情報を含み、前記対応関係が前記少なくとも１つの上りＢＷＰと前記少なくとも１つの下りＢＷＰとの関連関係である
ことを特徴とするデータ端末デバイス。
【請求項２２】
前記通信モジュールは、
前記ネットワークデバイスにより送信された下り制御情報ＤＣＩを受信するように構成され、前記ＤＣＩが前記対応関係を含む
ことを特徴とする請求項２１に記載の端末デバイス。
【請求項２３】
前記通信モジュールは、
前記ネットワークデバイスにより送信されたＲＲＣシグナリングを受信するように構成され、前記ＲＲＣシグナリングが前記対応関係を含む
ことを特徴とする請求項２１に記載の端末デバイス。
【請求項２４】
前記通信モジュールは、さらに、
前記ネットワークデバイスにより送信された上りＢＷＰの共通構成情報を受信するように構成される
ことを特徴とする請求項２１〜２３のいずれか１項に記載の端末デバイス。
【請求項２５】
前記通信モジュールは、
前記ネットワークデバイスによりブロードキャストされたシステム情報ブロックＳＩＢを受信するように構成され、前記ＳＩＢが前記上りＢＷＰの共通構成情報を含む
ことを特徴とする請求項２４に記載の端末デバイス。
【請求項２６】
前記通信モジュールは、
前記ネットワークデバイスにより送信されたＲＲＣシグナリングを受信するように構成され、前記ＲＲＣシグナリングが前記上りＢＷＰの共通構成情報を含む
ことを特徴とする請求項２４に記載の端末デバイス。
【請求項２７】
通信モジュールを備えるネットワークデバイスであって、
前記通信モジュールは、システム情報ブロックＳＩＢ１をブロードキャストするように構成され、前記ＳＩＢ１が上りキャリアの周波数ポイント情報を含み、前記上りキャリアの周波数ポイント情報が、前記ＳＩＢ１をブロードキャストするための下り帯域幅パートＢＷＰに関連する上りＢＷＰを決定するために用いられる
ことを特徴とするネットワークデバイス。
【請求項２８】
前記ネットワークデバイスは、さらに、制御モジュールを含み、
前記制御モジュールは、関連する上りＢＷＰ及び下りＢＷＰを同時に活性化又は非活性化するように構成される
ことを特徴とする請求項２７に記載のネットワークデバイス。
【請求項２９】
通信モジュールを備えるネットワークデバイスであって、
前記通信モジュールは、端末デバイスに無線リソース制御ＲＲＣシグナリングを送信し、前記端末デバイスに対応関係を送信するように構成され、前記ＲＲＣシグナリングが少なくとも１つの上り帯域幅パートＢＷＰ及び少なくとも１つの下りＢＷＰの情報を含み、前記対応関係が、前記少なくとも１つのＢＷＰと前記少なくとも１つの下りＢＷＰとの関連関係である
ことを特徴とするネットワークデバイス。
【請求項３０】
前記通信モジュールは、
前記端末デバイスに下り制御情報ＤＣＩを送信するように構成され、前記ＤＣＩが前記対応関係を含む
ことを特徴とする請求項２９に記載のネットワークデバイス。
【請求項３１】
前記通信モジュールは、
前記端末デバイスにＲＲＣシグナリングを送信するように構成され、前記ＲＲＣシグナリングが前記対応関係を含む
ことを特徴とする請求項２９に記載のネットワークデバイス。
【請求項３２】
前記通信モジュールは、
前記端末デバイスに上りＢＷＰの共通構成情報を送信するように構成される
ことを特徴とする請求項２９〜３１のいずれか１項に記載のネットワークデバイス。
【請求項３３】
前記通信モジュールは、
システム情報ブロックＳＩＢをブロードキャストするように構成され、前記ＳＩＢが前記上りＢＷＰの共通構成情報を含む
ことを特徴とする請求項３２に記載のネットワークデバイス。
【請求項３４】
前記通信モジュールは、
前記端末デバイスにＲＲＣシグナリングを送信するように構成され、前記ＲＲＣシグナリングが前記上りＢＷＰの共通構成情報を含む
ことを特徴とする請求項３２に記載のネットワークデバイス。
【発明の詳細な説明】
【技術分野】
【０００１】
本願の実施例は、通信分野に関し、具体的に、データ伝送のための方法、端末デバイス及びネットワークデバイスに関する。
【背景技術】
【０００２】
５Ｇ新規ラジオ( Ｎｅｗ Ｒａｄｉｏ、ＮＲ )システムの議論において、ＮＲシステムによってサポートされるシステム帯域幅は、ロングタームエボリューション( Ｌｏｎｇ Ｔｅｒｍ Ｅｖｏｌｕｔｉｏｎ、ＬＴＥ )システムのシステム帯域幅よりもはるかに大きいと決定され、例えば、低周波数帯域幅は１００ ＭＨｚまで、高周波数帯域幅は４００ ＭＨｚまでである。しかし、ある端末デバイスによっては、その能力に限界があり、システム帯域幅の全てをサポートすることができず、ＮＲシステムにおいて、帯域幅パート( Ｂａｎｄｗｉｄｔｈ Ｐａｒｔ、ＢＷＰ )という概念が導入され、各ＢＷＰの帯域幅は最大システム帯域幅以下である。
【０００３】
ネットワークデバイスは、端末デバイスに対して１つ以上の上りＢＷＰを構成するとともに、端末デバイスに対して１つ以上の下りＢＷＰを構成することができるが、端末デバイスは、どの下りキャリアに対応するＢＷＰから上りＢＷＰの共通構成情報を取得するか不明であるため、端末デバイスによる通信が正常に行われなかった可能性があるため、上記の問題を解決するための技術が求められていた。
【発明の概要】
【０００４】
本願の実施例は、上りＢＷＰと下りＢＷＰとの関連関係を知ることができるデータ伝送のための方法、端末デバイス及びネットワークデバイスを提供する。
【０００５】
第１の態様は、データ伝送のための方法を提供し、 
端末デバイスがネットワークデバイスによりブロードキャストされたシステム情報ブロックＳＩＢ１を受信することと、
前記端末デバイスが前記上りキャリアの周波数ポイント情報に基づいて、前記ＳＩＢ１をブロードキャストするための下り帯域幅パートＢＷＰに関連する上りＢＷＰを決定することとを含み、前記ＳＩＢ１が上りキャリアの周波数ポイント情報を含む。
【０００６】
したがって、本願の実施例に係るデータ伝送のための方法によれば、端末デバイスが、ネットワークデバイスからブロードキャストされたＳＩＢ１を受信することによって、上りキャリアの周波数ポイント情報を知ることができ、さらに、該上りキャリアの周波数ポイント情報に基づいて、該ＳＩＢ１をブロードキャストする下りキャリアに対応するＢＷＰに関連する上りＢＷＰを特定することができ、したがって、前記端末デバイスは、該関連関係に基づいて、下りＢＷＰに対応する下りキャリア上において、上りＢＷＰの共通構成情報を取得することができ、さらに、該上りＢＷＰの共通構成情報に基づいて、上り伝送を行うことができる。
【０００７】
本願の実施例において、前記端末デバイスは、ネットワークデバイスにより送信された他のシグナリング（例えば、ＲＲＣシグナリング又は物理層シグナリング等）に基づいて上りキャリアの周波数ポイント情報を取得し、さらに、この上りキャリアの周波数ポイント情報に基づいて、このシグナリングを送信する下りキャリアに対応する下りＢＷＰに関連する上りＢＷＰを決定することができる。
【０００８】
第１の態様と結合し、第１の態様の実現可能な方式において、前記端末デバイスが前記上りキャリアの周波数ポイント情報に基づいて、前記ＳＩＢ１をブロードキャストするための下り帯域幅パートＢＷＰに関連する上りＢＷＰを決定することは、
前記端末デバイスが前記上りキャリアの周波数ポイント情報に対応する上りＢＷＰを、前記ＳＩＢ１をブロードキャストするための下りＢＷＰに関連する上りＢＷＰとして決定することを含む。
【０００９】
第１の態様と結合し、第１の態様の実現可能な方式において、前記ネットワークデバイスが、関連する上りＢＷＰ及び下りＢＷＰを同時に活性化又は非活性化する。
【００１０】
第２の態様は、データ伝送のための方法を提供し、 
端末デバイスがネットワークデバイスにより送信された無線リソース制御ＲＲＣシグナリングを受信することと、
前記端末デバイスが前記ネットワークデバイスにより送信された対応関係を受信することとを含み、
前記ＲＲＣシグナリングが少なくとも１つの上り帯域幅パートＢＷＰ及び少なくとも１つの下りＢＷＰの情報を含み、前記対応関係が、前記少なくとも１つの上りＢＷＰと前記少なくとも１つの下りＢＷＰとの関連関係である。
【００１１】
従って、本願の実施例に係るデータ伝送のための方法によれば、端末デバイスが、準静的シグナリングにより、少なくとも１つのＢＷＰと、前記少なくとも１つの下りＢＷＰの情報を知り、その後、動的シグナリング又は準静的シグナリングにより、該少なくとも１つのＢＷＰと、前記少なくとも１つの下りＢＷＰとの関連関係を知り、これにより、前記端末デバイスが、該関連関係に基づいて、下りＢＷＰに対応する下りキャリア上に、上りＢＷＰの共通構成情報を取得し、更に、該上りＢＷＰの共通構成情報に基づいて、上り伝送を行うことができる。
【００１２】
任意選択で、この対応関係は、１つの下りＢＷＰに対する１つの上りＢＷＰであってもよく、あるいは、１つの下りＢＷＰに対する複数の上りＢＷＰであってもよく、あるいは、複数の下りＢＷＰに対する１つの上りＢＷＰであってもよい。
【００１３】
第２の態様と結合し、第２の態様の実現可能な方式において、前記端末デバイスがネットワークデバイスにより構成された対応関係を受信することは、
前記端末デバイスが前記ネットワークデバイスにより送信された下り制御情報ＤＣＩを受信することを含み、前記ＤＣＩが前記対応関係を含む。
【００１４】
第２の態様と結合し、第２の態様の実現可能な方式において、前記端末デバイスがネットワークデバイスにより構成された対応関係を受信することは、
前記端末デバイスが前記ネットワークデバイスにより送信されたＲＲＣシグナリングを受信することを含み、前記ＲＲＣシグナリングが前記対応関係を含む。
【００１５】
第２の態様と結合し、第２の態様の実現可能な方式において、前記方法は、さらに、
前記端末デバイスが前記ネットワークデバイスにより送信された上りＢＷＰの共通構成情報を受信することを含む。
【００１６】
第２の態様と結合し、第２の態様の実現可能な方式において、前記端末デバイスが前記ネットワークデバイスにより送信された上りＢＷＰの共通構成情報を受信することは、
前記端末デバイスが前記ネットワークデバイスによりブロードキャストされたシステム情報ブロックＳＩＢを受信することを含み、前記ＳＩＢが前記上りＢＷＰの共通構成情報を含む。
【００１７】
第２の態様と結合し、第２の態様の実現可能な方式において、前記端末デバイスが前記ネットワークデバイスにより送信された上りＢＷＰの共通構成情報を受信することは、
前記端末デバイスが前記ネットワークデバイスにより送信されたＲＲＣシグナリングを受信することを含み、前記ＲＲＣシグナリングが前記上りＢＷＰの共通構成情報を含む。
【００１８】
第３の態様は、データ伝送のための方法を提供し、 
ネットワークデバイスがシステム情報ブロックＳＩＢ１をブロードキャストすることを含み、前記ＳＩＢ１が上りキャリアの周波数ポイント情報を含み、前記上りキャリアの周波数ポイント情報が、前記ＳＩＢ１をブロードキャストするための下り帯域幅パートＢＷＰに関連する上りＢＷＰを決定するために用いられる。
【００１９】
したがって、本願の実施例に係るデータ伝送のための方法によれば、ネットワークデバイスが、ＳＩＢ１をブロードキャストして、前記端末デバイスに上りキャリアの周波数ポイント情報を通知することができ、前記端末デバイスが、該上りキャリアの周波数ポイント情報に基づいて、該ＳＩＢ１をブロードキャストする下りキャリアに対応するＢＷＰに関連する上りＢＷＰを特定することができ、これにより、前記端末デバイスは、該関連関係に基づいて、下りＢＷＰに対応する下りキャリアにおいて、上りＢＷＰの共通構成情報を取得することができ、さらに、該上りＢＷＰの共通構成情報に基づいて、上り伝送を行うことができる。
【００２０】
第３の態様と結合し、第３の態様の実現可能な方式において、前記方法は、さらに、
前記ネットワークデバイスが、関連する上りＢＷＰ及び下りＢＷＰを同時に活性化又は非活性化する。
【００２１】
第４の態様は、データ伝送のための方法を提供し、 
ネットワークデバイスが端末デバイスに無線リソース制御ＲＲＣシグナリングを送信することと、
前記ネットワークデバイスが前記端末デバイスに対応関係を送信することとを含み、前記ＲＲＣシグナリングが少なくとも１つの上り帯域幅パートＢＷＰ及び少なくとも１つの下りＢＷＰの情報を含み、前記対応関係が前記少なくとも１つのＢＷＰと前記少なくとも１つの下りＢＷＰとの関連関係である。
【００２２】
従って、本願の実施例に係るデータ伝送方法によれば、ネットワークデバイスが、準静的シグナリングにより端末デバイスに少なくとも１つのＢＷＰと前記少なくとも１つの下りＢＷＰの情報を構成し、その後、動的シグナリング又は準静的シグナリングにより端末デバイスに該少なくとも１つのＢＷＰと前記少なくとも１つの下りＢＷＰの関連関係を構成することができ、これにより、前記端末デバイスは、該関連関係に基づいて、下りＢＷＰに対応する下りキャリア上に、上りＢＷＰの共通構成情報を取得することができ、更に、該上りＢＷＰの共通構成情報に基づいて、上り伝送を行うことができる。
【００２３】
第４の態様と結合し、第４の態様の実現可能な方式において、前記ネットワークデバイスが前記端末デバイスに対応関係を送信することは、
前記ネットワークデバイスが前記端末デバイスに下り制御情報ＤＣＩを送信することを含み、前記ＤＣＩが前記対応関係を含む。
【００２４】
第４の態様と結合し、第４の態様の実現可能な方式において、前記ネットワークデバイスが前記端末デバイスに対応関係を送信することは、
前記ネットワークデバイスが前記端末デバイスにＲＲＣシグナリングを送信することを含み、前記ＲＲＣシグナリングが前記対応関係を含む。
【００２５】
第４の態様と結合し、第４の態様の実現可能な方式において、前記方法は、さらに、
前記ネットワークデバイスが前記端末デバイスに上りＢＷＰの共通構成情報を送信することを含む。
【００２６】
第４の態様と結合し、第４の態様の実現可能な方式において、前記ネットワークデバイスが前記端末デバイスに上りＢＷＰの共通構成情報を送信することは、
前記ネットワークデバイスがシステム情報ブロックＳＩＢをブロードキャストすることを含み、前記ＳＩＢが前記上りＢＷＰの共通構成情報を含む。
【００２７】
第４の態様と結合し、第４の態様の実現可能な方式において、前記ネットワークデバイスが前記端末デバイスに上りＢＷＰの共通構成情報を送信することは、
前記ネットワークデバイスが前記端末デバイスにＲＲＣシグナリングを送信することを含み、前記ＲＲＣシグナリングが前記上りＢＷＰの共通構成情報を含む。
【００２８】
第５の態様は、上記の第１の態様または第１の態様の任意の可能な実施例における方法を実行するため、または上記の第２の態様または第２の態様の任意の可能な実施例における方法を実行するための端末デバイスを提供する。具体的には、この端末デバイスは、上記の第１の態様または第１の態様の任意の可能な実施例における方法を実行するためのユニットを備え、または端末デバイスは、上記の第２の態様または第２の態様の任意の可能な実施例における方法を実行するためのユニットを備える。
【００２９】
第６の態様は、メモリと、プロセッサと、入力インタフェースと、出力インタフェースとを有する端末デバイスを提供する。メモリ、プロセッサ、入力インタフェース、出力インタフェースは、バスシステムを介して接続される。メモリは、命令を記憶するために使用され、プロセッサは、メモリに記憶された命令を実行し、第１の態様または第１の態様の可能な実施のいずれかにおける方法を実行し、または第２の態様または第２の態様の可能な実施のいずれかにおける方法を実行するために使用される。
【００３０】
第７の態様は、第３の態様または第３の態様の任意の可能な実施例における方法を実行するため、または第４の態様の任意の可能な実施例における方法を実行するためのネットワークデバイスを提供する。具体的には、ネットワークデバイスは、上記の第３の態様または第３の態様の任意の可能な実施例における方法を実行するためのユニットを備え、またはネットワークデバイスは、上記の第４の態様または第４の態様の任意の可能な実施例における方法を実行するためのユニットを備える。
【００３１】
第８の態様は、メモリと、プロセッサと、入力インタフェースと、出力インタフェースとを有するネットワークデバイスを提供する。メモリ、プロセッサ、入力インタフェース、出力インタフェースは、バスシステムを介して接続される。メモリは、命令を記憶するために使用され、プロセッサは、メモリに記憶された命令を実行し、第３の態様または第３の態様の可能な実施のいずれかにおける方法を実行し、第４の態様または第４の態様の可能な実施のいずれかにおける方法を実行するために使用される。
【００３２】
第９の態様は、上記の第１から第４の態様または第１から第４の態様の可能な実施例のいずれかを実行するための方法を実行するためのコンピュータソフトウェア命令を記憶するためのコンピュータ記憶媒体を提供し、上記の態様を実行するように設計されたプログラムを含む。
【００３３】
第１０の態様は、命令を備えるコンピュータプログラム製品を提供し、コンピュータ上で実行されると、コンピュータに、第１から第４の態様または第１から第４の態様の可能な実施における方法を実行させる。
【図面の簡単な説明】
【００３４】
【図１】本願の実施例における応用シーンの模式図である。
【図２】本願の実施例におけるデータ伝送のための方法のフローチャートである。
【図３】本願の他の実施例におけるデータ伝送のための方法のフローチャートである。
【図４】本願の他の実施例におけるデータ伝送のための方法のフローチャートである。
【図５】本願の他の実施例におけるデータ伝送のための方法のフローチャートである。
【図６】本願の実施例における端末デバイスのブロック図である。
【図７】本願の他の実施例における端末デバイスのブロック図である。
【図８】本願の実施例におけるネットワークデバイスのブロック図である。
【図９】本願の他の実施例におけるネットワークデバイスのブロック図である。
【図１０】本願の他の実施例における端末デバイスのブロック図である。
【図１１】本願の他の実施例におけるネットワークデバイスのブロック図である。
【発明を実施するための形態】
【００３５】
以下、本発明の実施の形態について図面を参照して説明する。
【００３６】
本発明の実施例による技術的解決策は、ロングタームエボリューション( Ｌｏｎｇ Ｔｅｒｍ Ｅｖｏｌｕｔｉｏｎ、ＬＴＥ )システム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ  Ｄｉｖｉｓｉｏｎ  Ｄｕｐｌｅｘ、ＴＤＤ )、又は将来の５Ｇシステムなどの様々な通信システムに適用されてもよい。
【００３７】
図１は、本願の実施例が適用される無線通信システム１００を示す。無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に配置されたＵＥなどの端末デバイスと通信し得る。任意選択で、ネットワークデバイス１００は、ＬＴＥシステムにおける発展型基地局( Ｅｖｏｌｕｔｉｏｎａｌ Ｎｏｄｅ Ｂ、ｅＮＢ、又はｅＮｏｄｅＢ )であってもよく、又は、ネットワークデバイスは、中継局、アクセスポイント、車載装置、ウェアラブル装置、将来の５Ｇネットワークにおけるネットワーク側装置、又は、将来の進化型公共陸上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイス等であってもよい。
【００３８】
無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００３９】
図２は、本発明の実施例によるデータ伝送のための方法２００の概略フローチャートであり、この方法２００は、図１に示す通信システム１００における端末デバイスによって実行され、図２に示すように、方法２００は、以下のものを含み得る。
【００４０】
Ｓ２１０において、端末デバイスがネットワークデバイスによりブロードキャストされたシステム情報ブロックＳＩＢ１を受信し、前記ＳＩＢ１が上りキャリアの周波数ポイント情報を含み、
Ｓ２２０において、前記端末デバイスが前記上りキャリアの周波数ポイント情報に基づいて、前記ＳＩＢ１をブロードキャストするための下り帯域幅パートＢＷＰに関連する上りＢＷＰを決定する。
【００４１】
具体的には、前記ネットワークデバイスは、ブロードキャストされたシステム信号ブロック( Ｓｙｓｔｅｍ Ｉｎｆｏｒｍａｔｉｏｎ Ｂｌｏｃｋ１、ＳＩＢ１ )に、１つの上りＢＷＰまたは複数の上りＢＷＰに対応する上りキャリアの周波数ポイント情報を含めることができ、該ＳＩＢ１をブロードキャストするための下りキャリアの周波数ポイントは、対応する下りＢＷＰに対応し得るものであり、前記端末デバイスは、ＳＩＢ１に含まれる上りキャリアの周波数ポイント情報に基づいて、該ＳＩＢ１をブロードキャストする下りキャリアに対応する下りＢＷＰに関連する上りＢＷＰを特定することができる。例えば、前記端末デバイスは、該上りキャリアの周波数ポイント情報に対応する上りＢＷＰを、該ＳＩＢ１をブロードキャストする下りキャリアに対応する下りＢＷＰに関連する上りＢＷＰとして直接特定することができる。
【００４２】
例えば、上りキャリアの周波数ポイント情報が第１の上りＢＷＰに対応し、ブロードキャスト該ＳＩＢ１の下りキャリアに対応する下りＢＷＰが第１の下りＢＷＰである場合、前記端末デバイスは、前記第１の下りＢＷＰに関連する上りＢＷＰを前記第１の上りＢＷＰとして直接決定し、即ち、前記第１の上りＢＷＰと前記第２の下りＢＷＰとは、関連関係を有するＢＷＰである。なお、前記第１の上りＢＷＰが少なくとも１つの上りＢＷＰを含み、前記第１の下りＢＷＰが少なくとも１つの下りＢＷＰを含む。前記端末デバイスは、上りＢＷＰと下りＢＷＰとの関連関係を決定した後、第１の下りＢＷＰにおいて前記第１の上りＢＷＰの共通構成情報を受信し、さらに、該共通構成情報に基づいて、上り伝送を行うことができる。
【００４３】
なお、本願の実施例において、前記端末デバイスは、ネットワークデバイスにより送信された他のシグナリング（例えば、ＲＲＣシグナリング又は物理層シグナリング等）を利用して上りキャリアの周波数ポイント情報を取得してもよく、さらに、該上りキャリアの周波数ポイント情報に基づいて、該シグナリングを送信する下りキャリアに対応する下りＢＷＰに関連する上りＢＷＰを決定する。
【００４４】
任意選択で、本願の実施例において、上りＢＷＰの共通構成情報は、ネットワークデバイスがＳＩＢにより構成したのもであってもよく、又は、無線リソース制御（Ｒａｄｉｏ Ｒｅｓｏｕｒｃｅ Ｃｏｎｔｒｏｌ、ＲＲＣ）シグナリングにより構成したものであってもよく、本願の実施例はこれに限定されない。
【００４５】
任意選択で、本願の実施例において、前記ネットワークデバイスが、関連する上りＢＷＰ及び下りＢＷＰを同時に活性化又は非活性化する。
【００４６】
例えば、第１上りＢＷＰと第１下りＢＷＰとが関連するＢＷＰである場合、前記ネットワークデバイスは、前記第１上りＢＷＰを活性化する場合、前記第１下りＢＷＰを同時に活性化にし、又は、前記第１下りＢＷＰを非活性化にする場合、前記第１上りＢＷＰを同時に非活性化にするようにしてもよい。すなわち、関連する上りＢＷＰと下りＢＷＰの状態は同じであり、共に活性状態にあるか、或いは共に非活性状態にある。これは、上りＢＷＰが活性状態にあり、関連する下りＢＷＰが非活性状態にある場合や、下りＢＷＰが活性状態にあり、関連する上りＢＷＰが非活性状態にある場合に生じる通信異常を回避する上で有利である。
【００４７】
したがって、本願の実施例に係るデータ伝送のための方法によれば、端末デバイスが、ネットワークデバイスからブロードキャストされたＳＩＢ１を受信することによって、上りキャリアの周波数ポイント情報を知ることができ、さらに、該上りキャリアの周波数ポイント情報に基づいて、該ＳＩＢ１をブロードキャストする下りキャリアに対応するＢＷＰに関連する上りＢＷＰを特定することができ、したがって、前記端末デバイスは、該関連関係に基づいて、下りＢＷＰに対応する下りキャリア上において、上りＢＷＰの共通構成情報を取得することができ、さらに、該上りＢＷＰの共通構成情報に基づいて、上り伝送を行うことができる。
【００４８】
図３は、本発明の他の実施例によるデータ伝送のための方法を示し、図３に示すように、図１に示す通信システム１００において端末デバイスによって実行され、方法３００は、以下の内容を含んでもよい。
【００４９】
Ｓ３１０において、端末デバイスがネットワークデバイスにより送信された無線リソース制御ＲＲＣシグナリングを受信し、前記ＲＲＣシグナリングが少なくとも１つの上り帯域幅パートＢＷＰ及び少なくとも１つの下りＢＷＰの情報を含み、
Ｓ３２０において、前記端末デバイスが前記ネットワークデバイスにより送信された対応関係を受信し、前記対応関係が、前記少なくとも１つの上りＢＷＰと前記少なくとも１つの下りＢＷＰとの関連関係である。
【００５０】
具体的には、前記ネットワークデバイスは、ＲＲＣシグナリングのような準静的シグナリングを介して、少なくとも一つの上りＢＷＰ及び少なくとも一つの下りＢＷＰの情報を構成でき、例えば、該少なくとも一つの上りＢＷＰ及び少なくとも一つの下りＢＷＰの情報は、テーブルの形態である。そして、前記少なくとも１つの上りＢＷＰと前記少なくとも１つの下りＢＷＰとの関連関係は、動的シグナリング(例えば、下り制御情報( Ｄｏｗｎｌｉｎｋ Ｃｏｎｔｒｏｌ Ｉｎｆｏｒｍａｔｉｏｎ、ＤＣＩ ) )や準静的シグナリング(例えば、ＲＲＣシグナリング)などの方式で構成されてもよく、これにより、前記端末デバイスは、前記対応関係に基づいて、上りＢＷＰと下りＢＷＰとの関連関係を知ることができ、さらに、関連する上りＢＷＰの共通構成情報を下りＢＷＰの対応する下りキャリア上に取得し、上りＢＷＰの共通構成情報に基づいて上り伝送を行うことができる。
【００５１】
なお、少なくとも１つの上り帯域幅パートＢＷＰ及び少なくとも１つの下り帯域幅パートＢＷＰの情報は、準静的シグナリングにより構成されるので、ネットワークデバイスが上り帯域幅ＢＷＰ及び下り帯域幅ＢＷＰの情報を変更する前に、Ｓ３１０は、１回だけ実行されてもよく、前記対応関係が動的シグナリングにより構成される場合、Ｓ３２０は、１回以上実行されてもよく、即ち、ネットワークデバイスが動的シグナリングにより該対応関係を動的に構成してもよく、又は、前記対応関係が準静的シグナリングにより構成される場合、ネットワークデバイスが上り帯域幅ＢＷＰ及び下り帯域幅ＢＷＰの対応関係を変更する前に、Ｓ３２０は、１回だけ実行されてもよい。
【００５２】
なお、前記少なくとも１つの上りＢＷＰと少なくとも１つの下りＢＷＰの情報は、前記少なくとも１つの上りＢＷＰと前記少なくとも１つの下りＢＷＰの識別情報であっても良く、前記対応関係は、上りＢＷＰの識別子と下りＢＷＰの識別子の対応関係であっても良く、任意選択で、該対応関係は、１つの上りＢＷＰが１つの下りＢＷＰに対応しても良いし、複数の上りＢＷＰが１つの下りＢＷＰに対応しても良いし、１つの上りＢＷＰが複数の下りＢＷＰに対応しても良い。
【００５３】
任意選択で、１つの実施例として、Ｓ３２０は、
前記端末デバイスが前記ネットワークデバイスにより送信された下り制御情報ＤＣＩを受信することを含み、前記ＤＣＩが前記対応関係を含む。
【００５４】
即ち、前記端末デバイスは、動的シグナリング（例えばＤＣＩ）により前記少なくとも１つのＢＷＰと前記少なくとも１つの下りＢＷＰとの関連関係を動的に構成しても良い。
【００５５】
任意選択で、他の実施例として、Ｓ３２０は、
前記端末デバイスが前記ネットワークデバイスにより送信されたＲＲＣシグナリングを受信することを含み、前記ＲＲＣシグナリングが前記対応関係を含む。
【００５６】
即ち、前記端末デバイスは、準静的シグナリングにより前記少なくとも１つのＢＷＰと前記少なくとも１つの下りＢＷＰとの関連関係を構成しても良く、本願の実施例は、前記対応関係の構成方式を限定しない。
【００５７】
任意選択で、ある実施例において、前記方法３００は、さらに、
前記端末デバイスが前記ネットワークデバイスにより送信された上りＢＷＰの共通構成情報を受信することを含む。
【００５８】
例えば、前記ネットワークデバイスは、ブロードキャストＳＩＢ又はＲＲＣシグナリングにより、前記上りＢＷＰの共通構成情報を構成しても良い。
【００５９】
つまり、前記ネットワークデバイスは、ブロードキャストのＳＩＢに前記上りＢＷＰの共通構成情報を含め、又は、ＲＲＣシグナリングに上りＢＷＰの共通構成情報を含めて、前記端末デバイス上りＢＷＰの共通構成情報を通知する。
【００６０】
そして、本願の実施例に係るデータ伝送のための方法によれば、端末デバイスが、準静的シグナリングにより、少なくとも１つのＢＷＰと、前記少なくとも１つの下りＢＷＰの情報を知り、その後、動的シグナリング又は準静的シグナリングにより、該少なくとも１つのＢＷＰと、前記少なくとも１つの下りＢＷＰとの関連関係を知り、これにより、前記端末デバイスが、該関連関係に基づいて、下りＢＷＰに対応する下りキャリア上に、上りＢＷＰの共通構成情報を取得し、更に、該上りＢＷＰの共通構成情報に基づいて、上り伝送を行うことができる。
【００６１】
以上、図２及び図３を参照して、本発明の一実施例に係るデータ伝送方法について端末デバイスの観点から説明したが、以下、図４〜図５を参照して、本発明の他の実施例に係るデータ伝送方法についてネットワークデバイスの観点から説明する。ネットワークデバイス側の説明と端末デバイス側の説明は、互いに対応しており、同様の説明は、上記を参照してもよく、重複を避けるためにここで説明を省略する。
【００６２】
図４は、本願の別の実施例による、データ伝送のための方法の概略フローチャートであり、この方法４００は、図１に示す通信システム１００内のネットワークデバイスによって実行されてもよく、図４に示すように、方法４００は、以下のものを含んでもよい。
【００６３】
Ｓ４１０において、ネットワークデバイスがシステム情報ブロックＳＩＢ１をブロードキャストし、前記ＳＩＢ１が上りキャリアの周波数ポイント情報を含み、前記上りキャリアの周波数ポイント情報が、前記ＳＩＢ１をブロードキャストするための下り帯域幅パートＢＷＰに関連する上りＢＷＰを決定するために用いられる。
【００６４】
任意選択で、前記方法４００は、さらに、
前記ネットワークデバイスが、関連する上りＢＷＰ及び下りＢＷＰを同時に活性化又は非活性化する。
【００６５】
図５は、本願の別の実施例による、データ伝送のための方法の概略フローチャートであり、図５に示すように、図１に示す通信システム１００内のネットワークデバイスによって実行されてもよく、方法５００は、以下のものを含んでもよい。
【００６６】
Ｓ５１０において、ネットワークデバイスが端末デバイスに無線リソース制御ＲＲＣシグナリングを送信し、前記ＲＲＣシグナリングが少なくとも１つの上り帯域幅パートＢＷＰ及び少なくとも１つの下りＢＷＰの情報を含み、
Ｓ５２０において、前記ネットワークデバイスが前記端末デバイスに対応関係を送信し、前記対応関係が、前記少なくとも１つのＢＷＰと前記少なくとも１つの下りＢＷＰとの関連関係である。
【００６７】
任意選択で、ある実施例において、Ｓ５２０は、さらに、
前記ネットワークデバイスが前記端末デバイスに下り制御情報ＤＣＩを送信することを含み、前記ＤＣＩが前記対応関係を含む。
【００６８】
任意選択で、ある実施例において、Ｓ５２０は、さらに、
前記ネットワークデバイスが前記端末デバイスにＲＲＣシグナリングを送信することを含み、前記ＲＲＣシグナリングが前記対応関係を含む。
【００６９】
任意選択で、ある実施例において、前記方法５００は、さらに、
前記ネットワークデバイスが前記端末デバイスに上りＢＷＰの共通構成情報を送信することを含む。
【００７０】
任意選択で、ある実施例において、前記ネットワークデバイスが前記端末デバイスに上りＢＷＰの共通構成情報を送信することは、
前記ネットワークデバイスがシステム情報ブロックＳＩＢをブロードキャストすることを含み、前記ＳＩＢが前記上りＢＷＰの共通構成情報を含む。
【００７１】
任意選択で、ある実施例において、前記ネットワークデバイスが前記端末デバイスに上りＢＷＰの共通構成情報を送信することは、
前記ネットワークデバイスが前記端末デバイスにＲＲＣシグナリングを送信することを含み、前記ＲＲＣシグナリングが前記上りＢＷＰの共通構成情報を含む。
【００７２】
図６は本願の実施例における端末デバイスのブロック図である。図６に示す端末デバイス６００は、通信モジュール６１０と決定モジュール６２０を含み、
通信モジュール６１０は、ネットワークデバイスによりブロードキャストされたシステム情報ブロックＳＩＢ１を受信するように構成され、前記ＳＩＢ１が上りキャリアの周波数ポイント情報を含み、
決定モジュール６２０は、前記上りキャリア的周波数ポイント情報に基づいて、前記ＳＩＢ１をブロードキャストするための下り帯域幅パートＢＷＰに関連する上りＢＷＰを決定するように構成される。
【００７３】
任意選択で、ある実施例において、前記決定モジュール６２０は、具体的に、
前記上りキャリアの周波数ポイント情報に対応する上りＢＷＰを、前記ＳＩＢ１をブロードキャストするための下りＢＷＰに関連する上りＢＷＰとして決定するように構成される。
【００７４】
任意選択で、ある実施例において、前記ネットワークデバイスが、関連する上りＢＷＰ及び下りＢＷＰを同時に活性化又は非活性化する。
【００７５】
具体的には、該端末デバイス６００は、上記方法２００で説明した端末デバイスに対応(例えば、構成又はそれ自体で)することができ、且つ、該端末デバイス６００における各モジュール又はユニットは、それぞれ、上記方法２００で端末デバイスが実行する各動作又は処理過程を実行するために使用されるが、ここでは、詳しい説明を省略する。
【００７６】
図７は本願の実施例における端末デバイスのブロック図である。図７に示す端末デバイス７００は、通信モジュール７１０を含み、
通信モジュール７１０、ネットワークデバイスにより送信された無線リソース制御ＲＲＣシグナリングを受信し、前記ＲＲＣシグナリングが少なくとも１つの上り帯域幅パートＢＷＰ及び少なくとも１つの下りＢＷＰの情報を含み、前記ネットワークデバイスにより送信された対応関係を受信するように構成され、前記対応関係が、前記少なくとも１つの上りＢＷＰと前記少なくとも１つの下りＢＷＰとの関連関係である。
【００７７】
任意選択で、ある実施例において、前記通信モジュール７１０は、具体的に、
前記ネットワークデバイスにより送信された下り制御情報ＤＣＩを受信するように構成され、前記ＤＣＩが前記対応関係を含む。
【００７８】
任意選択で、ある実施例において、前記通信モジュール７１０は、具体的に、
前記ネットワークデバイスにより送信されたＲＲＣシグナリングを受信するように構成され、前記ＲＲＣシグナリングが前記対応関係を含む。
【００７９】
任意選択で、ある実施例において、前記通信モジュール７１０は、さらに、
前記ネットワークデバイスにより送信された上りＢＷＰの共通構成情報を受信するように構成される。
【００８０】
任意選択で、ある実施例において、前記通信モジュール７１０は、具体的に、
前記ネットワークデバイスによりブロードキャストされたシステム情報ブロックＳＩＢを受信するように構成され、前記ＳＩＢが前記上りＢＷＰの共通構成情報を含む。
【００８１】
任意選択で、ある実施例において、前記通信モジュール７１０は、具体的に、
前記ネットワークデバイスにより送信されたＲＲＣシグナリングを受信するように構成され、前記ＲＲＣシグナリングが前記上りＢＷＰの共通構成情報を含む。
【００８２】
具体的に、該端末デバイス７００は、上記方法３００で説明した端末デバイスに対応(例えば、構成又はそれ自体)することができ、且つ、該端末デバイス７００における各モジュール又はユニットは、それぞれ、上記方法３００で端末デバイスが実行する各動作又は処理手順を実行するために使用されるが、ここでは、重複を避けるため、その詳細な説明は省略する。
【００８３】
図８は本願の実施例におけるネットワークデバイスのブロック図である。図８に示すネットワークデバイス８００は、通信モジュール８１０を含み、
通信モジュール８１０は、システム情報ブロックＳＩＢ１をブロードキャストするように構成され、前記ＳＩＢ１が上りキャリアの周波数ポイント情報を含み、前記上りキャリアの周波数ポイント情報が、前記ＳＩＢ１をブロードキャストするための下り帯域幅パートＢＷＰに関連する上りＢＷＰを決定するために用いられる。
【００８４】
任意選択で、ある実施例において、前記ネットワークデバイス８００は、さらに、制御モジュールを含み、
制御モジュールは、関連する上りＢＷＰ及び下りＢＷＰを同時に活性化又は非活性化するように構成される。
【００８５】
具体的には、該ネットワークデバイス８００は、上記方法４００で説明されたネットワークデバイスに対応(例えば、構成又はそれ自体であってもよい)することができ、且つ、該ネットワークデバイス８００における各モジュール又はユニットは、それぞれ、上記方法４００でネットワークデバイスにより実行される各動作又は処理手順を実行するために使用されるが、ここでは、詳しい説明を省略する。
【００８６】
図９は本願の実施例におけるネットワークデバイスのブロック図である。図９に示すネットワークデバイス９００は、通信モジュール９１０を含み、
通信モジュール９１０は、端末デバイスに無線リソース制御ＲＲＣシグナリングを送信し、前記ＲＲＣシグナリングが少なくとも１つの上り帯域幅パートＢＷＰ及び少なくとも１つの下りＢＷＰの情報を含み、前記端末デバイスに対応関係を送信するように構成され、前記対応関係が、前記少なくとも１つのＢＷＰと前記少なくとも１つの下りＢＷＰとの関連関係である。
【００８７】
任意選択で、ある実施例において、前記通信モジュール９１０は、具体的に、
前記端末デバイスに下り制御情報ＤＣＩを送信するように構成され、前記ＤＣＩが前記対応関係を含む。
【００８８】
任意選択で、ある実施例において、前記通信モジュール９１０は、具体的に、
前記端末デバイスにＲＲＣシグナリングを送信するように構成され、前記ＲＲＣシグナリングが前記対応関係を含む。
【００８９】
任意選択で、ある実施例において、前記通信モジュール９１０は、さらに、
前記端末デバイスに上りＢＷＰの共通構成情報を送信するように構成される。
【００９０】
任意選択で、ある実施例において、前記通信モジュール９１０は、具体的に、
システム情報ブロックＳＩＢをブロードキャストするように構成され、前記ＳＩＢが前記上りＢＷＰの共通構成情報を含む。
【００９１】
任意選択で、ある実施例において、前記通信モジュール９１０は、具体的に、
前記端末デバイスにＲＲＣシグナリングを送信するように構成され、前記ＲＲＣシグナリングが前記上りＢＷＰの共通構成情報を含む。
【００９２】
具体的には、該ネットワークデバイス９００は、上記方法５００で説明されたネットワークデバイスに対応(例えば、構成又はそれ自体で)することができ、且つ、該ネットワークデバイス９００における各モジュール又はユニットは、それぞれ、上記方法５００でネットワークデバイスにより実行される各動作又は処理手順を実行するために使用されるが、ここでは、詳しい説明を省略する。
【００９３】
図１０に示されるように、本願の実施例は、端末デバイス１０００を提供し、端末デバイス１０００は、図６の端末デバイス６００又は図７の端末デバイス７００であってもよく、図２に示される方法２００又は図３に示される方法３００の端末デバイスに対応するコンテンツを実行するために使用される。前記端末デバイス１０００は、入力インターフェース１０１０、出力インターフェース１０２０、プロセッサ１０３０及びメモリ１０４０を含み、前記入力インターフェース１０１０、出力インターフェース１０２０、プロセッサ１０３０及びメモリ１０４０は、バスシステムによって連結されることができる。メモリ１０４０は、プログラム、命令、又はコードを含むデータを記憶するために使用される。プロセッサ１０３０は、メモリ１０４０内のプログラム、命令、またはコードを実行して、入力インターフェース１０１０を制御して信号を受信し、出力インターフェース１０２０を制御して信号を送信し、前述の方法の実施例の動作を完了する。
【００９４】
なお、本発明の実施例において、プロセッサ１０３０は、中央処理装置( Ｃｅｎｔｒａｌ Ｐｒｏｃｅｓｓｉｎｇ Ｕｎｉｔ、略して「ＣＰＵ」)であってもよく、他の汎用プロセッサ、デジタル信号プロセッサ( ＤＳＰ )、特定用途向け集積回路( ＡＳＩＣ )、既製のプログラマブルゲートアレイ( ＦＰＧＡ )又は他のプログラマブル論理デバイス、ディスクリートゲート又はトランジスタロジック、ディスクリートハードウェアコンポーネント等であってもよい。汎用プロセッサはマイクロプロセッサであってもよく、プロセッサは任意の従来のプロセッサなどであってもよい。
【００９５】
メモリ１０４０は、読み出し専用メモリおよびランダムアクセスメモリを含み得、プロセッサ１０３０に命令およびデータを提供し得る。メモリ１０４０の一部は、不揮発性ランダムアクセスメモリをさらに含み得る。例えば、メモリ１０４０は、デバイスタイプの情報をさらに記憶してもよい。
【００９６】
実施において、方法の各内容は、プロセッサ１０３０におけるハードウェアの集積論理回路またはソフトウェア形態の命令によって実現されてもよい。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。記憶媒体は、メモリ１０４０に配置され、プロセッサ１０３０は、メモリ１０４０内の情報を読み出し、そのハードウェアと組み合わせて、上記方法の内容を達成する。重複を避けるため、ここでは詳細な説明は省略する。
【００９７】
１つの具体的な実装では、図６の端末デバイス６００に含まれる決定モジュール６２０は、図１０のプロセッサ１０３０で実装されてもよく、図６の端末デバイス６００に含まれる通信モジュール６１０は、図１０の入力インターフェース１０１０および出力インターフェース１０２０で実装されてもよい。
【００９８】
別の具体的な実施例では、図７の端末デバイス７００に含まれる通信モジュール７１０は、図１０の入力インターフェース１０１０及び出力インターフェース１０２０を用いて実装され得る。
【００９９】
図１１に示されるように、本願の実施例は、ネットワークデバイス１１００をさらに提供し、ネットワークデバイス１１００は、図８のネットワークデバイス８００又は図９のネットワークデバイス９００であっても良く、図４に示される方法４００又は図５に示される方法５００においてネットワークデバイスに対応するコンテンツを実行するために使用される。ネットワークデバイス１１００は、入力インターフェース１１１０、出力インターフェース１１２０、プロセッサ１１３０、及びメモリ１１４０を含み、入力インターフェース１１１０、出力インターフェース１１２０、プロセッサ１１３０、及びメモリ１１４０は、バスシステムによって接続されてもよい。メモリ１１４０は、プログラム、命令、またはコードを含むメモリを記憶するために使用される。プロセッサ１１３０は、メモリ１１４０内のプログラム、命令、またはコードを実行して、入力インターフェース１１１０を制御して信号を受信し、出力インターフェース１１２０を制御して信号を送信し、前述の方法の実施例の動作を完了する。
【０１００】
なお、本発明の実施例において、プロセッサ１１３０は、中央処理装置( Ｃｅｎｔｒａｌ Ｐｒｏｃｅｓｓｉｎｇ Ｕｎｉｔ、単に「ＣＰＵ」ともいう)であってもよく、他の汎用プロセッサ、デジタル信号プロセッサ( ＤＳＰ )、特定用途向け集積回路( ＡＳＩＣ )、既製プログラマブルゲートアレイ( ＦＰＧＡ  )又は他のプログラマブル論理デバイス、ディスクリートゲート又はトランジスタロジック、ディスクリートハードウェアコンポーネント等であってもよい。汎用プロセッサはマイクロプロセッサであってもよく、プロセッサは任意の従来のプロセッサなどであってもよい。
【０１０１】
メモリ１１４０は、読み出し専用メモリおよびランダムアクセスメモリを含み得、プロセッサ１１３０に命令およびデータを提供し得る。メモリ１１４０の一部は、不揮発性ランダムアクセスメモリをさらに含み得る。例えば、メモリ１１４０は、デバイスタイプの情報をさらに記憶することができる。
【０１０２】
実施の過程において、上述した方法の各内容は、プロセッサ１１３０におけるハードウェアの集積論理回路またはソフトウェア形態の命令によって実現されてもよい。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。記憶媒体は、プロセッサ１１３０がハードウェアとともに上記方法の内容を実行するために情報を読み出すメモリ１１４０内に配置される。重複を避けるため、ここでは詳細な説明は省略する。
【０１０３】
１つの具体的な実施例において、図８のネットワークデバイス８００に含まれる通信モジュール８１０は、図１１の入力インターフェース１１１０及び出力インターフェース１１２０を用いて実装され、図８のネットワークデバイス８００に含まれる制御モジュールは、図１１のプロセッサ１１３０を用いて実装されてもよい。
【０１０４】
別の特定の実施例では、図９のネットワークデバイス９００に含まれる通信モジュール９１０は、図１１の入力インターフェース１１１０及び出力インターフェース１１２０を用いて実装され得る。
【０１０５】
本願の実施例は、コンピュータ可読記憶媒体をさらに提供し、命令を含む１つ又は複数のアプリケーションプログラムを含み、この命令が携帯型電子機器によって実行されると、図２〜図５に示す実施例の方法を携帯型電子機器に実行させる。
【０１０６】
本願の実施例は、コンピュータプログラムをさらに提出し、コンピュータプログラムは、コンピュータプログラムがコンピュータによって実行されると、コンピュータに、図２〜図５に示される実施例の方法の対応するフローを実行させる命令を含む。
【０１０７】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本願の範囲から逸脱するものと考えられるべきではない。
【０１０８】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１０９】
本明細書で提供するいくつかの実施例では、開示されたシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１１０】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１１１】
また、本発明の各実施例における各機能部は、１つの処理部に集積されてもよいし、各部は、物理的に別個に存在してもよいし、２つ以上の部が１つの部に集積されてもよい。
【０１１２】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータ装置(パーソナルコンピュータ、サーバ、またはネットワークデバイスなどであってもよい)に本発明の様々な実施例による方法のステップの全てまたは一部を実行させるための複数の命令を含む１つの記憶媒体に記憶されたソフトウェア製品の形態で具現化されてもよい。なお、前記記憶媒体としては、Ｕ-ディスク、リムーバブルハードディスク、リードオンリーメモリ( ＲＯＭ、Ｒｅａｄ−Ｏｎｌｙ Ｍｅｍｏｒｙ )、ランダムアクセスメモリ( ＲＡＭ、Ｒａｎｄｏｍ Ａｃｃｅｓｓ Ｍｅｍｏｒｙ )、磁気ディスク、光ディスク等のプログラムコードを記憶できる種々の媒体を包含する。
【０１１３】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2021509781.tif 000003
【図２】
2021509781.tif 000004
【図３】
2021509781.tif 000005
【図４】
2021509781.tif 000006
【図５】
2021509781.tif 000007
【図６】
2021509781.tif 000008
【図７】
2021509781.tif 000009
【図８】
2021509781.tif 000010
【図９】
2021509781.tif 000011
【図１０】
2021509781.tif 000012
【図１１】
2021509781.tif 000013
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
端末デバイスがネットワークデバイスによりブロードキャストされたシステム情報ブロックＳＩＢ１を受信することと、
前記端末デバイスが上りキャリアの周波数ポイント情報に基づいて、前記ＳＩＢ１をブロードキャストするための下り帯域幅パートＢＷＰに関連する上りＢＷＰを決定することとを含み、
前記ＳＩＢ１が前記上りキャリアの周波数ポイント情報を含む
ことを特徴とするデータ伝送のための方法。
【請求項２】
前記ネットワークデバイスが、関連する上りＢＷＰ及び下りＢＷＰを同時に活性化又は非活性化する
ことを特徴とする請求項１に記載のデータ伝送のための方法。
【請求項３】
端末デバイスがネットワークデバイスにより送信された無線リソース制御ＲＲＣシグナリングを受信することを含み、
前記ＲＲＣシグナリングが少なくとも１つの上り帯域幅パートＢＷＰ及び少なくとも１つの下りＢＷＰの情報を含む
ことを特徴とするデータ伝送のための方法。
【請求項４】
前記端末デバイスがネットワークデバイスにより送信された下り制御情報ＤＣＩを受信することをさらに含み、
前記ＤＣＩは、前記少なくとも１つの上りＢＷＰと少なくとも１つの下りＢＷＰのとの対応関係を示す
ことを特徴とする請求項３に記載のデータ伝送のための方法。
【請求項５】
前記ＲＲＣシグナリングは、１つの上りＢＷＰと１つの下りＢＷＰのとの対応関係を示す
ことを特徴とする請求項３に記載のデータ伝送のための方法。
【請求項６】
前記少なくとも１つの上りＢＷＰと少なくとも１つの下りＢＷＰのとは、同時に活性化された上りＢＷＰと下りＢＷＰである
ことを特徴とする請求項３に記載のデータ伝送のための方法。
【請求項７】
前記対応関係は、前記少なくとも１つの上りＢＷＰと少なくとも１つの下りＢＷＰを同時に活性化する
ことを特徴とする請求項６に記載のデータ伝送のための方法。
【請求項８】
ネットワークデバイスがシステム情報ブロックＳＩＢ１をブロードキャストすることを含み、
前記ＳＩＢ１が上りキャリアの周波数ポイント情報を含み、前記上りキャリアの周波数ポイント情報が、前記ＳＩＢ１をブロードキャストするための下り帯域幅パートＢＷＰに関連する上りＢＷＰを決定するために用いられる
ことを特徴とするデータ伝送のための方法。
【請求項９】
前記方法は、さらに、
前記ネットワークデバイスが、関連する上りＢＷＰ及び下りＢＷＰを同時に活性化又は非活性化する
ことを特徴とする請求項に８記載のデータ伝送のための方法。
【請求項１０】
ネットワークデバイスが端末デバイスに無線リソース制御ＲＲＣシグナリングを送信することを含み、
前記ＲＲＣシグナリングが少なくとも１つの上り帯域幅パートＢＷＰ及び少なくとも１つの下りＢＷＰの情報を含む
ことを特徴とするデータ伝送のための方法。
【請求項１１】
前記ネットワークデバイスが前記端末デバイスに下り制御情報ＤＣＩを送信することを含み、
前記ＤＣＩは、前記少なくとも１つの上りＢＷＰと少なくとも１つの下りＢＷＰのとの対応関係を示す
ことを特徴とする請求項１０に記載のデータ伝送のための方法。
【請求項１２】
前記ＲＲＣシグナリングは、１つの上りＢＷＰと１つの下りＢＷＰのとの対応関係を示す
ことを特徴とする請求項１０に記載のデータ伝送のための方法。
【請求項１３】
前記少なくとも１つの上りＢＷＰと少なくとも１つの下りＢＷＰのとは、同時に活性化された上りＢＷＰと下りＢＷＰである
ことを特徴とする請求項１０に記載のデータ伝送のための方法。
【請求項１４】
前記対応関係は、前記少なくとも１つの上りＢＷＰと少なくとも１つの下りＢＷＰを同時に活性化する
ことを特徴とする請求項１３に記載のデータ伝送のための方法。
【請求項１５】
請求項１〜７のいずれか１項に記載のデータ伝送のための方法を実行する
ことを特徴とするデータ端末デバイス。
【請求項１６】
請求項８〜１４のいずれか１項に記載のデータ伝送のための方法を実行する
ことを特徴とするネットワークデバイス。
【国際調査報告】
2021509781.tif 000014
2021509781.tif 000015
2021509781.tif 000016
2021509781.tif 000017